(57)【要約】【課題】【解決手段】掃除機の送電型ホース連結システムは、第２の掃除機の送電型ホース（２０）の雄の連結端部（１０）を受ける第１の掃除機の送電型ホース（２０）の雌の連結端部（８０）を具える。雄の連結端部（１０）は、雌の連結端部（８０）の雌のレセプタホールに挿入すべく構成された少なくとも2本の雄のレセプタプラグ（５０）を具える。掃除機吸引ホース連結システムはさらに、少なくとも２本の雄のレセプタプラグ（５０）を有する雄の連結端部（５００）と、この雄のレセプタプラグ（５０）を受ける少なくとも２つのレセプタホールを有する雌の連結端部（８０）とを具え、雌雄の連結端部（５００，８０）は、雌雄の連結端部（５００，８０）の一方の長軸を中心に、接合位置と非接合位置との間で回転可能である。【選択図】図１０
2007505659.tif 000002
【特許請求の範囲】
【請求項１】
送電型掃除機ホースの連結システムにおいて、
第１の送電型掃除機ホースの雌の連結端部であって、少なくとも２つのレセプタホールを有する雌の連結端部と、
第２の送電型掃除機ホースの雄の連結端部であって、前記第１の送電型掃除機ホースの雌の連結端部に挿入可能に構成され電流を供給する少なくとも２本の雄のレセプタプラグとを有する雄の連結端部とを具えることを特徴とするシステム。
【請求項２】
請求項１に記載の送電型掃除機ホースの連結システムにおいて、前記雌の連結端部が、前記雄の連結端部に形成された対応する連結レセプタ内に装着可能に構成された連結機構を具えることを特徴とするシステム。
【請求項３】
請求項１に記載の送電型掃除機ホースの連結システムにおいて、前記雄の連結端部が、前記雌の連結端部に形成された対応する連結レセプタ内に装着可能に構成された連結機構を具えることを特徴とするシステム。
【請求項４】
掃除機ホースの連結システムにおいて：
電流を供給する少なくとも２本のレセプタプラグを有する雄の連結端部と；
前記雄のレセプタプラグを受ける少なくとも２つのレセプタホールを有する雌の連結端部とを具え；
前記雌雄の連結端部が、前記雌雄の連結端部の一方の長軸を中心に、接合位置と非接合位置との間で回転可能であることを特徴とするシステム。
【請求項５】
請求項４に記載の掃除機ホースの連結システムにおいて、前記雄の連結端部が、前記雌の連結端部に構成されたガイドボタン受けチャネルに収容されるガイドボタンを具えることを特徴とするシステム。
【請求項６】
請求項４に記載の掃除機ホースの連結システムにおいて、前記雌の連結端部が、前記雄の連結端部に構成されたガイドボタン受けチャネルに収容されるガイドボタンを具えることを特徴とするシステム。
【請求項７】
請求項４に記載の掃除機ホースの連結システムにおいて、前記雄の連結端部において前記雄のレセプタプラグを具える部分が、前記送電型ホースに対し、前記雄の連結端部の長軸を中心に回動自在であることを特徴とするシステム。
【請求項８】
請求項４に記載の掃除機ホースの連結システムにおいて、前記雌の連結端部において前記雌のレセプタホールを具える部分が、前記送電型ホースに対し、前記雌の連結端部の長軸を中心に回動自在であることを特徴とするシステム。
【請求項９】
請求項４に記載の掃除機ホースの連結システムにおいて、前記雄の連結端部がさらに、複数の絶縁ループで隔てられた複数の導電ループを具えることを特徴とするシステム。
【請求項１０】
請求項４に記載の掃除機ホースの連結システムにおいて、前記雌の連結端部がさらに、複数の絶縁ループで隔てられた複数の導電ループを具えることを特徴とするシステム。
【請求項１１】
請求項４に記載の掃除機ホースの連結システムにおいて、前記雄の連結端部が、当該雄の連結端部の前側リーディングリップ沿いの複数の箇所に複数の雄のレセプタプラグを具えることを特徴とするシステム。
【請求項１２】
請求項１１に記載の掃除機ホースの連結システムにおいて、前記雌の連結端部が、当該雌の連結端部の前側リーディングリップ沿いの複数の箇所に複数の雌のレセプタホールを具えることを特徴とするシステム。
【請求項１３】
請求項４に記載の雄の連結端部と雌の連結端部とを具えることを特徴とする送電型掃除機ホース。
【請求項１４】
送電型掃除機ホースの雌の連結端部に連結される位置と、非連結位置との間で回動可能に構成された雄の連結端部を具えることを特徴とする掃除機のハンドル部。
【請求項１５】
送電型掃除機ホースの雌の連結端部であって：
雄のレセプタプラグから供給される電流を受ける少なくとも２つのレセプタホールと；
前記雌の連結端部の長軸を中心に回動することにより雄の連結端部と連結する手段とを具えることを特徴とする雌の連結端部。
【請求項１６】
送電型掃除機ホースの雄の連結端部であって：
雌のレセプタホールに電流を供給する少なくとも２本のレセプタプラグと；
前記雄の連結端部の長軸を中心に回動することにより雌の連結端部と連結する手段とを具えることを特徴とする雄の連結端部。
【請求項１７】
第１の送電型掃除機ホースと、第２の送電型掃除機ホース、ハンドル部、掃除機本体、または壁面取付口のいずれかとの連結システムの操作方法であって：
雄の連結端部を、雌の連結端部に対して、雌雄の連結端部の少なくともいずれかの長軸を中心に回動させて、雄の連結端部にある雄の送電プラグを、雌の連結端部にある雌の送電レセプタに連結するステップを具え、
前記雌雄の連結端部の一方が、前記第１の送電型掃除機ホースと連結され、
前記雌雄の連結端部の他方が、前記第２の送電型掃除機ホースまたはハンドル部または掃除機本体または壁面取付口に連結されることを特徴とする方法。
【請求項１８】
請求項１７に記載の方法がさらに、雄の連結端部を、雌の連結端部に対して、雌雄の連結端部の少なくともいずれかの長軸を中心に回動させて、雄の連結端部にある雄の送電プラグを、雌の連結端部にある雌の送電レセプタから取り外すステップを具えることを特徴とする方法。
【発明の詳細な説明】
【技術分野】
【０００１】
本発明は掃除機に関し、特に、送電型掃除機ホースを、第２の送電型掃除機ホースや、ハンドル部、掃除機本体、壁面の取付口に連結する連結システムに関する。
【背景技術】
【０００２】
最近の掃除機の多くは、掃除機ホースの長さに沿って螺旋形に配設されたワイヤにより、掃除機本体からパワーノズルまで電流を送っている。一般的な送電型掃除機ホースは、掃除機本体から電流を受けるよう構成された第１の端部と、ハンドル部に電流を供給するよう構成された第２の端部を具えている。
【発明の開示】
【発明が解決しようとする課題】
【０００３】
従来の送電型掃除機ホースの重大な制限は、第１及び第２の端部が同じ連結システムを用いておらず、このため２本の送電型ホースを連結して第１の送電型ホースとハンドル部の間を伸ばすことができなかった。このため、送電型掃除機ホースの連結システムでは、送電型掃除機ホースをハンドル部と第２の送電型ホースのいずれにも連結可能とした送電型掃除機ホースの連結システムが求められていた。
【課題を解決するための手段】
【０００４】
本発明の送電型掃除機ホースの連結システムは、第２の送電型掃除機ホースの雄の連結端部を受けるよう構成された第１の送電型掃除機ホースの雌の連結端部を具える。この雄の連結端部は、雌の連結端部の雌のレセプタホールに挿入すべく構成された少なくとも２本のレセプタプラグを具える。
【０００５】
また本発明の掃除機ホースの連結システムは、電流を供給する少なくとも２本の雄のレセプタプラグを有する雄の連結端部と、雄のレセプタプラグを受ける少なくとも２つの雌のレセプタホールを有する雌の連結端部とを具え、前記雌雄の連結端部は雌の連結端部の長軸を中心に嵌着位置と非嵌着位置との間で回動可能であることを特徴とする。
【０００６】
本発明の掃除機のハンドル部は、送電型ホースに設けられた雌の連結端部に嵌着すべく構成された雄の連結端部を具え、前記雌の端部は、当該雌の端部の長軸を中心に前記ハンドル部との嵌着位置と非嵌着位置との間で回動可能であることを特徴とする。
【０００７】
本発明の送電型掃除機ホースの雌の連結端部は、電流を供給する雄のレセプタプラグを受ける少なくとも２つのレセプタホールと、この雌の連結端部の長軸を中心に回動することにより雄の連結端部と連結する手段とを具えている。
【０００８】
本発明の送電型掃除機ホースの雄の連結端部は、雌のレセプタホールに電流を供給する少なくとも２本のレセプタプラグと、この雄の連結端部の長軸を中心に回動することにより雌の連結端部と連結する手段を具えている。
【図面の簡単な説明】
【０００９】
本発明の限定されない実施例を図面に示す。
【図１】図１は、本発明にかかるシステムの雄の連結端部の好適な実施例を示す側面図である。
【図２】図２は、雌の連結端部の好適な実施例の側面図である。
【図３】図３は、図１に示す雄の連結端部の平面図である。
【図４】図４は、図２に示す雌の連結端部の平面図である。
【図５】図５は、図１に示す雄の連結端部からハードカバーを除去した第１の側面図である。
【図６】図６は、図１に示す雄の連結端部からハードカバーを除去した第２の側面図である。
【図７】図７は、図１と図２に示す雌雄の連結端部のハードカバーを除去して部分的に結合する位置にした側面図である。
【図８】図８は、図１と図２に示す雌雄の連結端部のハードカバーを除去して完全に結合する位置にした側面図である。
【図９】図９は、図２に示す雌の連結端部の斜視図である。
【図１０】図１０は、ハンドル部の連結端部の好適な実施例を雌の連結端部とともに示す側面図である。
【図１１】図１１は、雄の連結端部の第２実施例の側面図である。
【図１２】図１２は、雌の連結端部の第２実施例の側面図である。
【図１３】図１３は、図１１に示す雄の連結端部の平面図である。
【図１４】図１４は、図１２に示す雄の連結端部の平面図である。
【図１５】図１５は、ハンドル部の雄の連結端部の第２実施例を図１２に示す雌の連結端部とともに示す側面図である。
【発明を実施するための最良の形態】
【００１０】
以下の説明において、本発明のさらなる理解のために特定の詳細な構成が開示される。しかしながら、本発明はこれらの具体例以外として実施することができる。また、周知な部材は本発明が不必要に不明瞭となるのを回避すべく図示または説明されていない。したがって、この明細書と図面は限定するものではなく実例として解されたい。
【００１１】
図１、２は、本発明の好適な実施例にかかる送電型ホースの雄の連結端部１０と雌の連結端部８０とを示す図である。雄の連結端部１０と雌の連結端部８０はともに、送電型コードが螺旋状に巻かれた柔軟な吸い込みホース２０に連結されている。雄の連結端部１０は、雄の連結端部の外側リーディングリップ４０に嵌着されたハードシェル３０を具える。２本の雄のレセプタプラグ５０が外側リーディングリップ４０から突出している。雄の連結端部１０から、両側にガイドボタン７０が設けられたインナーチューブ部材６０が突出している。雌の連結端部８０は、雌の連結端部の外側リーディングリップ１００に嵌合する保護ハードシェル９０を具えている。
【００１２】
図３は、本発明の好適な実施例にかかる雄の連結端部１０の平面図であり、保護ハードカバー３０を雄の連結端部１０の対応部分に装着するネジ１１０が示されている。
【００１３】
図４は、本発明の好適な実施例にかかる雌の連結端部８０の平面図であり、硬質保護カバー９０を雌の連結端部８０の対応部分に装着するネジ１２０が示されている。
【００１４】
雌雄の連結端部０１０と８０の内部が図５乃至図８に示されており、保護ハードカバー３０、９０が除去された状態が示されている。図５、６は雄の連結端部１０の別の側面図である。この雄の連結端部１０は、ともに回路ボード２３０に取り付けられこれを保護する短いフランジ２１０と長いフランジ２２０とを具えている。各回路ボード２３０は２本の導電リード２４０に接続されており、各導電リード２４０は４本の導電ループ２５０のいずれかに接続されている。この４つの導電ループ２５０は、絶縁非導電ループ２６０で互いに隔てられている。これらの導電ループ２５０と絶縁ループ２６０は吸い込みホースの周囲に延在している。外側リーディングリップ４０と長短のフランジ２１０、２２０を含む雄の連結端部１０の前部は、インナーチューブ部材６０を通る長軸を中心に回動自在である。吸引チューブ６０はパイプ２０を通りシール部材まで延在している。雄の連結端部１０の前端部が回動しても、導電リード２４０は常に導電ループ２５０と接触する。長短のフランジ２１０、２２０からスペーサノブ３１０が突出しており、長短の回路ボード２３０に接触している。このスペーサノブ３１０は回路ボード２３０を位置決めし、回路ボード２３０が導電ループ２５０に接触しないようにしている。
【００１５】
各導電ループ２５０は、送電型コード２０内の螺旋ワイヤのうちの１つに接続されている。各導電ループ２５０はまた導電リード２４０に接続されており、これが回路ボード２３０から絶縁ワイヤ２７０へのワイヤを介して交互に接続されている。各回路ボード２３０の導電リード２４０は、回路ボード２３０の反対側から離れた絶縁ワイヤへ電気接続が延びている。絶縁ワイヤ２７０はそれぞれ、雄のレセプタプラグ５０の１つに接続されている。この絶縁ワイヤ２７０と雄のレセプタプラグ５０の接続が図５、７、８に溶接ジョイントとして図示されており、図６では雌の電気プッシュ／スライド接続子２６５を用いて図示されている。絶縁ワイヤ２７０と雄のレセプタプラグ５０は様々な適切な手段により接続されてもよい。雄のレセプタプラグ５０は、装着ねじ受け２８７にプラグ装着ネジ２８５で取り付けられたプラグ装着カバー２８０で雄の連結端部１０の前部に確実に固定されている。ネジ２９０とナット３００の組み合わせが図５、８に示されており、雄のレセプタ端部が２ピースで構成されている場合には、この２分割された雄のレセプタ端部を強固に接合している。
【００１６】
図５及び図６は似通っているが、これらは雄の連結端部１０の反対側を示している。絶縁ワイヤ２７０の構造と長短のフランジ２１、２２０の配置がそれぞれの側で僅かに異なっている。
【００１７】
図７は、雄の連結端部と雌の連結端部とが部分的に接合位置にある状態を示す。この位置にするには、まず雄の連結端部１０のガイドボタン７０を、図９に示すように雌の連結端部８０のガイドボタン案内溝４００にスライドさせる。ガイドボタン７０を定位置に納めてひねると、雄のレセプタプラグ５０が雌のレセプタホール１３０内へと案内され、端部同士が連結される。ガイドボタンレセプタ４１０が、雌雄の連結端部８０を完全に接合位置にした場合にこれらの連結を保持する補助となる。
【００１８】
図８は、雌雄の連結端部１０、８０が完全に接合位置にある状態を示す。雌雄の連結端部１０、８０が完全接合位置にあるときに、雌のレセプタリード３５０が雄のレセプタプラグ５０に接続する。この雌のレセプタリード３５０は、電気回路パス３６０を介して絶縁レセプタワイヤ２７０に電気的に接続している。雌の連結端部８０の他の内部構造は雄の連結端部１０と同様であり、導電ループ２５０、絶縁ループ２６０、長短のフランジ２１０、２２０、導電リード２４０等が設けられている。
【００１９】
図１０は、ハンドル部５００を雌の連結端部８０とともに示す図である。このハンドル部５００は雄のレセプタプラグ５０と、ガイドボタン７０付きのインナーチューブ部材６０を具え、これらはすべて雄の連結端部１０と同様である。ハンドル部５００は外側リーディング端部５１０と、保護ハードカバー５２０とを具えている。このハンドル部５００はさらに、オン／オフスイッチ５４０とインナー吸引チューブパイプ５５０を具えている。
【００２０】
図１乃至図１０から明らかなように、好適な実施例では、送電型掃除機ホース２０と、ハンドル部５００に用いる第２または第３の掃除機の延長ホースで同じ連結方法を用いる。これにより、１本の吸引ホースとともに、最初のと同じ長さあるいは異なる長さの延長ホースや同じ吸引ホースを何本でも用いることができる。上記簡単に説明したように、ハードカバー３０、９０を含む連結端部１０、８０の前部は、連結端部の長軸を中心に回動自在である。好適な実施例では、連結部の一部のボタンを押したり真っ直ぐに引っ張ったりすることなく、吸引ホースをハンドル部５００や第２の吸い込みホースに連結する単純で簡単な機構を提供している。この連結部の着脱はひねることによって実現する。
【００２１】
インナー吸引チューブ５５０は、インナー吸引チューブ部材６０に連結され１本のチューブをなす。
【００２２】
図１１、１２は、本発明の第２実施例にかかる雄の連結端部５８０と雌の連結端部５９０とを示す図である。雄のレセプタ端部は４本の雄のレセプタプラグ６２０と、直線的に延在するリーディングリップ６１０と、保護ハードシェル６００とを具えている。雌のレセプタ端部は、雄のレセプタプラグ６２０に対応する雌のレセプタホールを具えている（図示せず）。雌の連結端部は連結機構ボタン６６０と連続している連結機構６５０を具えている。この連結機構６５０の雄の連結端部５８０内には対応するレセプタホールが設けられている（図示せず）。
【００２３】
図１３、１４は、この第２実施例にかかる雌雄の連結端部の平面図である。
【００２４】
図１５は、本発明の第２実施例にかかるハンドル部７００を雌の連結端部５９０とともに示す図である。このハンドル部７００は雄の連結端部５８０と同様に、雄のレセプタプラグ６２０と、インナー吸引チューブ部材６０と、ガイドボタン７０とを具えている。ハンドル部７００はリーディングリップ７１０とハードシェルカバー７２０を具える。ハンドル部７００はさらに、オン／オフボタン７４０とインナー吸引チューブパイプ７５０を具える。図１１乃至１５から明らかなように、この第２実施例は雌雄の連結部に直線的なリーディングエッジを具える。このように雌雄で同型の連結端部システムを用いることにより、第１の吸い込みホースとハンドル部との間に延長ホースを容易に着脱することが可能となる。
【００２５】
本発明の基本的な実装において、メインホースの端部に雄または雌の連結システムが必要である。この連結システムはホースの一端を掃除機本体またはビルトイン掃除機の壁面取付口に接続可能であり、及び／又はこのホースをハンドル部に取り付けることもできる。本明細書ではホースとハンドル部間に適用する連結システムについて説明したが、このシステムはホースと掃除機本体または壁面取付口の間に適用可能であることを理解されたい。さらに、メインホースの一方の端部に本発明の雄の連結端部を、他方の端部に雌の連結端部を設けて、メインホースの両端に連結システムを構成してもよい。このように、それぞれハンドル部と本体に連結されるメイン吸引ホースの両端に連結システムを実装すると、メインホースの両端に雄の連結端部と雌の連結端部を設けることとなり、メインホースと延長ホースを交換することができる。
【００２６】
本発明により２本のホースを連結する際にホースの連結部を回しても、延長ホースが中間部でよじれたりすることがない。また２本のホースの接合部開口は簡単な構成であり、延長ホースが詰まったりした場合に容易にアクセスすることができる。
【００２７】
当業者であれば上記の説明により本発明の意図または範囲を逸脱することなく様々な変形または変更を加えることができる。例えば、上述した送電型ホースでは送電型コードが螺旋型に巻き付けられているが、本発明においてコードは比較的まっすぐな送電型コードが吸い込みホースの内側または外側に設けられてもよい。したがって、本発明の範囲は添付のクレームに規定された内容にしたがって解釈されるべきである。
【図１】
2007505659.tif 000003
【図２】
2007505659.tif 000004
【図３】
2007505659.tif 000005
【図４】
2007505659.tif 000006
【図５】
2007505659.tif 000007
【図６】
2007505659.tif 000008
【図７】
2007505659.tif 000009
【図８】
2007505659.tif 000010
【図９】
2007505659.tif 000011
【図１０】
2007505659.tif 000012
【図１１】
2007505659.tif 000013
【図１２】
2007505659.tif 000014
【図１３】
2007505659.tif 000015
【図１４】
2007505659.tif 000016
【図１５】
2007505659.tif 000017
【国際調査報告】
2007505659.tif 000018
2007505659.tif 000019
2007505659.tif 000020
2007505659.tif 000021
2007505659.tif 000022